(57)【要約】【課題】簡易な構成の表示装置によりトッププレート以外に調理器本体からも加熱状態が認識できる加熱調理器を提供することを目的とする。【解決手段】発光素子１８と導光体１６とを有して加熱状態を表示する表示装置４を備え、表示装置４の導光体１６は、透光性部材より略Ｌ字形状に形成するとともにそのコーナ部を傾斜面１９とし、導光体１６の非発光素子側の発光面２０とコーナ部の傾斜面１９を調理器本体２およびそのトッププレート１に設けた表示部１ａ、２ｃに対向配置したものである。これによって、簡易な構成の表示装置４により、導光体１６の非発光素子側の発光面２０とコーナ部の傾斜面１９とを通して同時に発光させることができ、表示部１ａ、２ｃからそれぞれ加熱状態が認識できるものであり、調理が容易に行えるものである。【選択図】図５
2007123075.tif 000002
【特許請求の範囲】
【請求項１】
加熱源を内装した調理器本体と、この調理器本体上に装備され調理容器を載置するトッププレートと、発光素子と導光体とを有して加熱状態を表示する表示装置とを備え、表示装置の導光体は、透光性部材より略Ｌ字形状に形成するとともにそのコーナ部を傾斜面とし、導光体の非発光素子側の発光面とコーナ部の傾斜面を調理器本体およびトッププレートに設けた表示部に対向配置した加熱調理器。
【請求項２】
導光体の非発光素子側の発光面とコーナ部の傾斜面との少なくとも一方を乱反射面とした請求項１に記載の加熱調理器。
【請求項３】
導光体は傾斜面を複数個設けた請求項１または２に記載の加熱調理器。
【請求項４】
傾斜面の大きさが異なった複数の導光体を並設した請求項１〜３のいずれか１項に記載の加熱調理器。
【請求項５】
導光体は、調理器本体の表示部に固定する固定部とこれに対向する導光部とに分割した請求項１〜４のいずれか１項に記載の加熱調理器。
【請求項６】
導光体の分割面を分割傾斜面で構成した請求項５に記載の加熱調理器。
【請求項７】
隣り合う導光体の分割傾斜面の角度を変え、分割傾斜面の投影面積を段階的に変える構成とした請求項６に記載の加熱調理器。
【請求項８】
導光体の分割傾斜面を複数構成した請求項６に記載の加熱調理器。
【発明の詳細な説明】
【技術分野】
【０００１】
本発明は、トッププレート上に載置する鍋などの調理容器を加熱する加熱調理器に関するものである。
【背景技術】
【０００２】
従来、この種の加熱調理器は、加熱状態を表示する表示装置を備えているが、これは光源と導光体より構成され、トッププレートを通して光表示するものが一般的である（例えば、特許文献１参照）。
【特許文献１】特開２００３−１９７３５７号公報
【発明の開示】
【発明が解決しようとする課題】
【０００３】
しかしながら、前記従来の構成では、加熱状態の表示がトッププレートを通してのみ行われるため、使用者の目線によっては加熱状態が操作位置から認識することが困難な場合がある。そのため、操作をしながら加熱部に近寄るような形で表示部をのぞき込む必要がある。特に、誘導加熱調理器においては、調理容器を直接発熱させているため、ガスコンロのように炎が見えたり、シーズヒータのようにヒータが赤熱したりすることがないため、横から加熱状態を把握することが困難な場合が生じやすい。また、トッププレート上に載置する調理容器の大きさによっては、表示部が覆い隠されてしまい、加熱状態を把握することができない。そこで、トッププレート以外に機器前面の操作部にも表示部を設ければ、加熱状態が確認しやすいが、それぞれの表示部位置に別個の表示装置が必要となり、高価なものとなってしまうものである。
【０００４】
本発明は、前記従来の課題を解決するもので、簡易な構成の表示装置によりトッププレート以外に調理器本体からも加熱状態が認識できる加熱調理器を提供することを目的とする。
【課題を解決するための手段】
【０００５】
前記従来の課題を解決するために、本発明の加熱調理器は、加熱源を内装した調理器本体と、この調理器本体上に装備され調理容器を載置するトッププレートと、発光素子と導光体とを有して加熱状態を表示する表示装置とを備え、表示装置の導光体は、透光性部材より略Ｌ字形状に形成するとともにそのコーナ部を傾斜面とし、導光体の非発光素子側の発光面とコーナ部の傾斜面を調理器本体およびトッププレートに設けた表示部に対向配置したものである。
【０００６】
これによって、簡易な構成の表示装置により、導光体の非発光素子側の発光面とコーナ部の傾斜面とを通して同時に発光させることができ、調理器本体およびトッププレートに設けた表示部からそれぞれ加熱状態が認識できるものであり、調理が容易に行えるものである。
【発明の効果】
【０００７】
本発明の加熱調理器は、簡易な構成の表示装置により、調理器本体およびトッププレートに設けた表示部からそれぞれ加熱状態が認識できる。
【発明を実施するための最良の形態】
【０００８】
第１の発明は、加熱源を内装した調理器本体と、この調理器本体上に装備され調理容器を載置するトッププレートと、発光素子と導光体とを有して加熱状態を表示する表示装置とを備え、表示装置の導光体は、透光性部材より略Ｌ字形状に形成するとともにそのコーナ部を傾斜面とし、導光体の非発光素子側の発光面とコーナ部の傾斜面を調理器本体およびトッププレートに設けた表示部に対向配置した加熱調理器とすることにより、簡易な構成の表示装置により、導光体の非発光素子側の発光面とコーナ部の傾斜面とを通して同時に発光させることができる。つまり、調理器本体およびトッププレートに設けた表示部からそれぞれ加熱状態が認識できるものであり、調理が容易に行えるものである。
【０００９】
第２の発明は、特に、第１の発明において、導光体の非発光素子側の発光面とコーナ部の傾斜面との少なくとも一方を乱反射面としたことにより、発光面をよりムラなく一様に発光させることができる。
【００１０】
第３の発明は、特に、第１または第２の発明において、導光体は傾斜面を複数個設けたことにより、発光素子の位置に関係なく、任意の位置に発光面を設けることができる。
【００１１】
第４の発明は、特に、第１〜第３のいずれか１つの発明において、傾斜面の大きさが異なった複数の導光体を並設したことにより、発光面の大きさにより火力の強弱を示すレベルメータとして利用することができる。
【００１２】
第５の発明は、特に、第１〜第４のいずれか１つの発明において、導光体は、調理器本体の表示部に固定する固定部とこれに対向する導光部とに分割したことにより、調理器本体の外郭が上下に分割されて構成されている場合でも、導光体を固定部と導光部とに分割しているため、導光体を外郭部品と密着させることができ、水やほこりの侵入を防ぎ、かつ容易に組立をすることができる。
【００１３】
第６の発明は、特に、第５の発明において、導光体の分割面を分割傾斜面で構成したことにより、コーナ部の傾斜面以外にも発光面を設けることが可能となり、よりデザイン性の幅を持った表示装置を構成することができる。
【００１４】
第７の発明は、特に、第６の発明において、隣り合う導光体の分割傾斜面の角度を変え、分割傾斜面の投影面積を段階的に変える構成としたことにより、発光面の長さにより火力の強弱を示すレベルメータとして利用することができる。
【００１５】
第８の発明は、特に、第６の発明において、導光体の分割傾斜面を複数構成したことにより、発光面の数により火力の強弱を示すレベルメータとして利用することができる。
【００１６】
以下、本発明の実施の形態について、図面を参照しながら説明する。なお、この実施の形態によって本発明が限定されるものではない。
【００１７】
（実施の形態１）
図１、図２は、本発明の実施の形態１における加熱調理器の代表例として卓上型の誘導加熱調理器を示すものである。
【００１８】
図１に示すように、加熱調理器は、鍋などの調理容器を載置するトッププレート１と、加熱源を内装した調理器本体２とを備えている。トッププレート１は、強化ガラス製またはセラミックス製であり、調理器本体２上に装備されている。調理器本体２はその外郭が、ケース上２ａとケース下２ｂが上下に組み合わさって構成されている。そして、トッププレート１の上面と調理器本体２の操作部面とにはそれぞれ加熱状態の表示部１ａ、２ｃが設けられている。表示部１ａ、２ｃは単なる穴あるいは透光部などからなるものであり、特に、その構成は限定されるものではない。なお、調理器本体２の操作部面である表示部２ｃ近傍には操作つまみ３が設けてある。操作つまみ３は、デザインと操作性を配慮して、ボタン式あるいはタッチ式であっても支障はない。
【００１９】
図２は、調理器本体２の内部構成を示しており、ケース下２ｂのほぼ中央に加熱源である加熱コイル５が設けられ、加熱コイル５の下にはインバータ部の基板７が置かれ、前方には操作部の基板９が、右後方には電源部の基板８がそれぞれ配置されている。電源部の基板８には、商用交流電源をＤＣ変換するコンデンサやマグネットプラグをつけるプラグ受けが取り付けられている。操作部の基板９には、火力調節やメニュー選択を行う操作装置と、加熱状態を表示する表示装置４とが設けられている。
【００２０】
また、加熱コイル５の左前方にはファンモータ１０が設けられ、インバータ部の基板７に取り付けられている発熱部品を固定したヒートシンクやその他基板上の部品や加熱コイル５を冷却する。そのため、ケース下２ｂにはファンモータ１０の下方に円形の吸気口があり、この吸気口から離れた側面および底面に排気口１２が設けられている。本実施の形態では、四角形状の製品であるため、排気口１２は後面にも設けられている。
【００２１】
加熱コイル５は細い銅線を撚り合わせた束を円盤状になるように巻かれていて、フェライトを内包した絶縁物で構成したコイルベース６に載せられ、コイルホルダ１１にて挟まれて固定されている。加熱コイル５の中央には、温度を検知するセンサ１４が設けられている。
【００２２】
図３、図４は、本実施の形態における加熱調理器の表示装置４の詳細を示している。表示装置４は、操作部の基板９上に複数個配置した発光素子１８と、各発光素子１８に一方の発光面を対向配置したポリカーボネイトなどの透光性部材よりなる複数の導光体１６と、発光素子１８と導光体１６の周囲を取り囲み、上方だけ開放した、非透光性または透光性の低い樹脂製のカバー１７とを有している。そして、導光体１６は、略Ｌ字形状に形成するとともにそのコーナ部を傾斜面１９とし、非発光素子側の発光面２０とコーナ部の傾斜面１９を調理器本体２およびトッププレート１に設けた表示部１ａ、２ｃに対向配置させている。
【００２３】
なお、調理器本体２の表示部２ｃが穴となっている場合においては、導光体１６の発光面２０を直接表示部２ｃに臨ませることができ、傾斜面１９はトッププレート１の下方に位置させ表示部１ａと対向させるものである。また、カバー１７は、複数の導光体１６が連なっている場合、隣の光が漏れて対応する発光素子１８が光っていないのに導光体１６の発光面２０が光ってしまい、視認性が悪くなることを防ぐためのものである。このカバー１７上面に、文字や図形を印刷した非透光性のシートを貼り付け、その文字や図形を発光させることもできる。同様にトッププレート１の印刷構成で同じように文字や図形を発光させることもできる。
【００２４】
また、トッププレート１上には調理容器が載せられ、２００℃以上の高温になってしまう場合もあるが、発光素子１８の一般的な耐熱温度は約８５℃であり、十分な冷却や断熱が必要となる。そこで、発光素子１８の位置、つまり基板９の位置をできる限り下方位置とすることが必要であり、また、導光体１６をポリカーボネイトなどの耐熱の高いもので構成し、発光素子１８に対する断熱材となるように蓋をする構成とすることにより、発光素子１８を低い温度に保つことができ、故障が少なくなるよう配慮している。
【００２５】
以上のように構成された加熱調理器において、以下その動作、作用を説明する。
【００２６】
加熱開始すると、制御回路により加熱コイル５に高周波電流が流れ、トッププレート１上の調理容器が誘導加熱される。このとき、発光素子１８からの光は導光体１６の途中で一部が進行方向に対して傾斜面１９で横方向に屈折され、発光面２０に達し調理器本体２の操作つまみ３に近い表示部２ｃが発光する。また、光の一部は傾斜面１９をそのまま通過して発光し、トッププレート１越しに表示部１ａで見ることができる。操作部やトッププレート１上の表示部１ａ、２ｃに加熱状態を表示しているが、火力の強弱がどの設定になっているかを分かりやすく表示している。例えば、発光素子１８は基板９上に複数設けられており、その点灯数で加熱状態を表示するようになっている。
【００２７】
このような構成により、トッププレート１上の表示部１ａ以外にも、操作部付近に表示部２ｃを設けることができ、操作量と火力を認識しやすくなる。また、トッププレート１上に表示部１ａが隠れてしまうような大きな調理容器が載せられた場合においても、操作部側の表示部２ｃで火力を知ることができ、不用意に火力を上げたり、火力を下げたりしてしまう恐れを少なくすることができる。また、一つの発光素子で複数の面を発光させることができるので、発光素子の数を減らしたり、基板の数を減らしたり、大きさを小さくすることができるので、材料費の合理化につながる。
【００２８】
このように、本実施の形態における加熱調理器は、導光体１６の構成を配慮した簡易な構成の表示装置４により、導光体１６の非発光素子側の発光面２０とコーナ部の傾斜面１９とを通して同時に２カ所で発光させることができる。つまり、調理器本体２およびトッププレート１に設けた表示部１ａ、２ｃからそれぞれ加熱状態が認識できるものであり、調理が容易に行えるものである。
【００２９】
なお、本実施の形態では、導光体１６を複数設けた構成の表示装置としたが、単に加熱しているか否かの状態のみを認識するのであれば、導光体１６を複数設ける必要はなく、単一使用であってよい。
【００３０】
また、導光体１６の入光部２１は、光が反射せずに入りやすいように透明にしている。一方、導光体１６の非発光素子側の発光面２０とコーナ部の傾斜面１９との少なくとも一方をシボ加工して乱反射面とすることにより、一様に光が乱反射し、むらがなく一面きれいに発光させることができる。
【００３１】
また、導光体１６に傾斜面１９を複数個設けることにより、発光素子１８の位置に関係なく、任意の位置に発光面を設けることができる。
【００３２】
さらに、略Ｌ字形状に形成した導光体１６の向きを変えることにより、発光面２０をトッププレート１の表示部１ａに対向させ、傾斜面１９を調理器本体２の表示部２ｃに対向させることも可能である。
【００３３】
（実施の形態２）
図５は、本発明の実施の形態２における加熱調理器の表示装置部分を示すものである。実施の形態１と同一要素については同一符号を付してその説明を省略する。
【００３４】
図に示すように、本実施の形態では、導光体１６は、調理器本体２の表示部２ｃに固定する固定部１６ａとこれに対向する導光部１６ｂとに分割したものである。なお、固定部１６ａの発光面２０は視認性を確保するために、調理器本体２の表示部２ｃと面一にすることが望ましい。また、導光体１６の分割した対向面は透明にして、距離をできるだけ短くし、光の分散を極力するように配慮することが望ましい。
【００３５】
これにより、調理器本体２の外郭がケース上２ａ、ケース下２ｂに分割されて構成されている場合でも、導光体１６を固定部１６ａと導光部１６ｂとに分割しているため、固定部１６ａを外郭部品、すなわち、本実施の形態ではケース上２ａの表示部２ｃの穴に予め密着して固定させることができる。その後、ケース下２ｂを組み合わせることにより、基板９上の導光部１６ｂが固定部１６ａと対向配置されることとなる。
【００３６】
導光体１６を分割せずに一体型で構成すると、組立時にケース上２ａに設けた穴に導光体１６を挿入することとなる。組立時の作業性や部品のばらつきを配慮すると、どうしてもケース上２ａと導光体１６との間に隙間ができてしまい、この隙間から水やほこりが調理器本体２内部に侵入して基板９に付着し、悪影響を及ぼす恐れがあるが、導光体１６を分割構成とすることにより、固定部１６ａは外郭部品に予め隙間ないように固定することができ、水やほこりの侵入を防ぎ、かつ容易に組立をすることができる。なお、導光体１６を、切り欠き穴を有するケース上２ａ、ケース下２ｂで挟み込む構成の場合でも同様である。
【００３７】
このように、本実施の形態における加熱調理器は、導光体を分割したことにより、調理器本体の外郭部品と密着させることができ、水やほこりの侵入を防ぎ、かつ容易に組立をすることができる。
【００３８】
（実施の形態３）
図６は、本発明の実施の形態３における加熱調理器の表示装置部分を示すものである。実施の形態１、２と同一要素については同一符号を付してその説明を省略する。
【００３９】
本実施の形態では、傾斜面１９の大きさ（例えば、長さ）が異なった導光体１６を複数並設したものである。これにより、発光面である傾斜面１９の大きさにより火力の強弱を示すレベルメータとして利用することができる。
【００４０】
すなわち、トッププレート１側から表示部１ａをみると、発光面は導光体１６の傾斜面１９の投影面積部分となる。したがって、複数の発光素子１８を並べて火力表示をしたり、大きな文字や図形を表示させたりする場合は、傾斜面１９を大きくすれば同じサイズの発光素子１８でも一様に発光させることができる。火力表示の場合は、図のように、隣り合う導光体１６の入光部２１の大きさを徐々に変え、傾斜面１９の大きさを変えることにより、トッププレート１上面から見える発光面の長さが各発光素子１８により徐々に大きくなってみえるため、誰もが人目で火力の大きさを視覚的に認識することができる。
【００４１】
このように、本実施の形態における加熱調理器は、傾斜面１９の大きさ（例えば、長さ）が異なった複数の導光体１６を並設することにより、発光面の大きさにより火力の強弱を示すレベルメータとして利用することができる。
【００４２】
（実施の形態４）
図７〜図９は、本発明の実施の形態４における加熱調理器の表示装置部分を示すものである。実施の形態１、２と同一要素については同一符号を付してその説明を省略する。
【００４３】
図７に示すように、本実施の形態では、導光体１６を分割しその分割面を分割傾斜面１６ｃで構成したものである。これにより、コーナ部の傾斜面１９以外にも分割傾斜面１６ｃの発光面を設けることが可能となり、よりデザイン性の幅を持った表示装置を構成することができる。
【００４４】
また、図８に示すように、隣り合う導光体１６の分割傾斜面１６ｃの角度をそれぞれ変え、分割傾斜面１６ｃの投影面積を段階的に変え、徐々に広くする構成としている。これにより、分割傾斜面１６ｃの発光面の長さにより火力の強弱を示すレベルメータとして利用することができる。
【００４５】
さらに、図９に示すように、隣り合う導光体１６の分割傾斜面１６ｃを、複数数を変えて構成している。この場合の各分割傾斜面１６ｃの角度は同じであり、複数つなぎ合わせている。これにより、分割傾斜面による発光面の数により火力の強弱を示すレベルメータとして利用することができる。
【００４６】
このように、本実施の形態における加熱調理器は、分割傾斜面１６ｃと、その角度、数を配慮することにより、デザイン性に幅を持たせたり、例えば、「強・中・弱」の文字表示の近傍にレベルメータを設けて、使用者の操作間違いを防ぎ、安全使用したりすることができる。
【産業上の利用可能性】
【００４７】
以上のように、本発明にかかる加熱調理器は、簡易な構成の表示装置により、調理器本体およびトッププレートに設けた表示部からそれぞれ加熱状態が認識できるので、誘導加熱調理器に限らず、シーズヒータ、ラジエントヒータ、ハロゲンヒータなど、加熱方式、形式にかかわらず加熱調理器全般に利用することができる。
【図面の簡単な説明】
【００４８】
【図１】本発明の実施の形態１における加熱調理器の斜視図
【図２】同加熱調理器の内部構成を示す平面図
【図３】同加熱調理器における表示装置の斜視図
【図４】同加熱調理器における表示装置の分解斜視図
【図５】本発明の実施の形態２における加熱調理器の表示装置部分の断面図
【図６】本発明の実施の形態３における加熱調理器の表示装置の導光体構成を示す平面および側面の関連図
【図７】本発明の実施の形態４における加熱調理器の表示装置部分の断面図
【図８】同加熱調理器における表示装置の他の導光体構成を示す平面および側面の関連図
【図９】同加熱調理器における表示装置のさらに他の導光体構成を示す平面および側面の関連図
【符号の説明】
【００４９】
１  トッププレート
１ａ、２ｃ  表示部
２  調理器本体
３  操作つまみ
４  表示装置
１６  導光体
１６ａ  固定部
１６ｂ  導光部
１６ｃ  分割傾斜面
１８  発光素子
１９  傾斜面
２０  発光面
２１  入光部
【図１】
2007123075.tif 000003
【図２】
2007123075.tif 000004
【図３】
2007123075.tif 000005
【図４】
2007123075.tif 000006
【図５】
2007123075.tif 000007
【図６】
2007123075.tif 000008
【図７】
2007123075.tif 000009
【図８】
2007123075.tif 000010
【図９】
2007123075.tif 000011